(57)【要約】【課題】  基地局との無線通信を迅速に開始することができるとともに、その無線通信による通信速度を向上させることができる無線通信端末及びその制御プログラムを提供する。【解決手段】  各スロットの識別情報と、それらのスロットが通信を行う基地局の識別情報とを対応付けて記憶する記憶部１１ａと、スロットが通信を行うことが可能な基地局の識別情報と、その基地局から受信する電界強度の情報とを対応付けて記憶する記憶部１１ｂと、記憶部１１ｂに記憶されている基地局の識別情報で特定される基地局のうち、記憶部１１ａに記憶されていない基地局の識別情報と、その基地局の識別情報に対応する電界強度の情報とを対応付けて記憶する記憶部１１ｃを有する。また、記憶部１１ｃに記憶されている基地局の識別情報で特定される基地局に対して、リンク確立の処理を行う制御部１２を有する。【選択図】  図１
2007005976.tif 000002
【特許請求の範囲】
【請求項１】
基地局と通信を行うための複数のスロットを有する無線通信端末であって、
前記各スロットの識別情報と、それらのスロットが通信を行う基地局の識別情報を対応付けて記憶する第１の記憶手段と、
前記スロットが通信を行うことが可能な基地局の識別情報と、その基地局との通信状態の情報を対応付けて記憶する第２の記憶手段と、
前記第２の記憶手段に記憶されている基地局の識別情報で特定される基地局のうち、前記第１の記憶手段に記憶されていない基地局の識別情報と、その基地局の識別情報に対応する前記通信状態の情報を対応付けて記憶する第３の記憶手段と、
前記第３の記憶手段に記憶されている通信状態の情報に基づいて基地局の識別情報を選択し、その基地局の識別情報で特定される基地局に対して、リンク確立の処理を行う制御手段と、
を有することを特徴とする無線通信端末。
【請求項２】
基地局と通信を行うための複数のスロットを有する無線通信端末であって、
前記各スロットの識別情報と、それらのスロットが通信を行う基地局の識別情報を対応付けて記憶する第１の記憶手段と、
前記スロットが通信を行うことが可能な基地局の識別情報と、その基地局との通信状態の情報を対応付けて記憶する第２の記憶手段と、
前記第２の記憶手段に記憶されている基地局の識別情報が、前記第１の記憶手段に記憶されていない場合に、その基地局の識別情報で特定される基地局に対して、リンク確立の処理を行う制御手段と、
を有することを特徴とする無線通信端末。
【請求項３】
基地局と通信を行うための複数のスロットを有する無線通信端末の制御プログラムであって、
前記各スロットの識別情報と、それらのスロットが通信を行う基地局の識別情報を対応付けて記憶させる第１のステップと、
前記スロットが通信を行うことが可能な基地局の識別情報と、その基地局との通信状態の情報を対応付けて記憶させる第２のステップと、
前記第２のステップで記憶した基地局の識別情報で特定される基地局のうち、前記第１のステップで記憶していない基地局の識別情報と、その基地局の識別情報に対応する前記通信状態の情報を対応付けて記憶させる第３のステップと、
前記第３の記憶手段に記憶されている通信状態の情報に基づいて基地局の識別情報を選択し、その基地局の識別情報で特定される基地局に対して、リンク確立の処理を行わせる第４のステップと、
をコンピュータに実行させるための無線通信端末の制御プログラム。
【請求項４】
基地局と通信を行うための複数のスロットを有する無線通信端末の制御プログラムであって、
前記各スロットの識別情報と、それらのスロットが通信を行う基地局の識別情報を対応付けて記憶させる第１のステップと、
前記スロットが通信を行うことが可能な基地局の識別情報と、その基地局との通信状態の情報を対応付けて記憶させる第２のステップと、
前記第２のステップで記憶した基地局の識別情報が、前記第１のステップで記憶されていない場合に、その基地局の識別情報で特定される基地局に対して、リンク確立の処理を行わせる第３のステップと、
をコンピュータに実行させるための無線通信端末の制御プログラム。
【発明の詳細な説明】
【技術分野】
【０００１】
本発明は、複数の基地局との間で無線通信を行うための無線通信端末及びその制御プログラムに関する。
【背景技術】
【０００２】
従来から、複数の無線通信端末と、複数の基地局との間で無線通信を行う場合に、図９に示すようなシーケンスに従って無線通信を行う方法が知られていた。すなわち、無線通信端末１ａと無線通信端末１ｂが同時刻に同じ基地局２ａにリンク確立要求信号を送信した場合に（ステップＳ００１、Ｓ００２）、一方の無線通信端末１ａに対してはリンクを割り当て（ステップＳ００３）、他方の無線通信端末１ｂに対してはリンクの割り当てを拒否していた（ステップＳ００４）。
基地局２ａからリンクの割り当てを拒否された無線通信端末１ｂは、他の基地局２ｂに対してリンク確立要求信号を送信し（ステップＳ００５）、その基地局２ｂからリンクの割り当てを受けることにより（ステップＳ００６）、無線通信を開始していた。
【０００３】
また、例えばＰＨＳ（Personal Handy-phone System）のパケット通信において、図１０に示すようなシーケンスに従ってリンク制御を行う方法も知られていた。すなわち、無線通信端末１ｃと基地局２ｃとがパケット通信中の場合において、基地局２ｃが無線通信端末１ｄからリンク確立要求信号を受信した場合には（ステップＳ１０１）、基地局２ｃは無線通信端末１ｃとのリンクを保留し（ステップＳ１０２）、無線通信端末１ｄに対してリンクの割り当てを行う（ステップＳ１０３）。保留されたリンクは一定時間後に再接続を試みるが、再接続に失敗した場合にはリンクが切断されてしまう。
【０００４】
また、ＰＨＳのパケット通信において、基地局と通信を行うための複数のスロットを利用してデータ通信を行う方法として、特許文献１に記載されている技術が知られている。この方法では、基地局から送信される電波の電界強度をＰＨＳが検出して、所定の電界強度以上の電波を受信できた基地局との間で無線通信を行うようにしている。
【特許文献１】特開２００２−２７１８３２号公報
【発明の開示】
【発明が解決しようとする課題】
【０００５】
しかしながら、前者の通信方法（図９参照）では、複数の無線通信端末１ａ、１ｂからのリンク確立要求信号が同時刻に送信された場合に（ステップＳ００１、Ｓ００２）、基地局２ａからリンクの割り当てが行われなかった無線通信端末１ｂは、他の基地局２ｂに対してリンク確立要求信号を改めて送信する必要がある。このとき行われる通信が音声通信の場合には、発呼時のみに行われる処理のために大きな問題とはなっていない。しかし、パケット通信の場合には発呼時のみだけではなく、ドーマント（無通信）状態から復帰するときにも同様にリンク確立を行う必要があること、及びパケット通信は複数のリンクを接続してデータ通信を行うこともあるので、前者の通信方法から受ける影響は大きく、データ通信のスループットを低下させる要因となっている。
また、後者のＰＨＳのパケット通信方法（図１０参照）では、無線通信端末１ｄからリンク確立要求信号を受信した場合には、基地局２ｃは無線通信端末１ｃとの通信を中断して、無線通信端末１ｄとの無線通信を開始していたため、無線通信端末１ｃによる無線通信が一時的に中断し、場合によってはリンクが切断され、データ通信のスループットが低下するという問題があった。
また、特許文献１に記載されている通信方法では、ある基地局から所定の電界強度以上の電波を受信可能な場合に、ＰＨＳに設けらている複数のスロットが同時刻にその基地局に対してリンク確立を要求することがあったため、リンクの確立が失敗し、データ通信を開始する時刻が遅延することがあるという問題があった。
【０００６】
本発明は、上記事情を考慮してなされたものでその目的は、基地局との無線通信を迅速に開始することができるとともに、その無線通信による通信速度を向上させることができる無線通信端末及びその制御プログラムを提供することにある。
【課題を解決するための手段】
【０００７】
本発明の無線通信端末は、基地局と通信を行うための複数のスロットを有する無線通信端末であって、前記各スロットの識別情報と、それらのスロットが通信を行う基地局の識別情報を対応付けて記憶する第１の記憶手段と、前記スロットが通信を行うことが可能な基地局の識別情報と、その基地局との通信状態の情報を対応付けて記憶する第２の記憶手段と、前記第２の記憶手段に記憶されている基地局の識別情報で特定される基地局のうち、前記第１の記憶手段に記憶されていない基地局の識別情報と、その基地局の識別情報に対応する前記通信状態の情報を対応付けて記憶する第３の記憶手段と、前記第３の記憶手段に記憶されている通信状態の情報に基づいて基地局の識別情報を選択し、その基地局の識別情報で特定される基地局に対して、リンク確立の処理を行う制御手段とを有することを特徴とする。
【０００８】
また、本発明の無線通信端末は、基地局と通信を行うための複数のスロットを有する無線通信端末であって、前記各スロットの識別情報と、それらのスロットが通信を行う基地局の識別情報を対応付けて記憶する第１の記憶手段と、前記スロットが通信を行うことが可能な基地局の識別情報と、その基地局との通信状態の情報を対応付けて記憶する第２の記憶手段と、前記第２の記憶手段に記憶されている基地局の識別情報が、前記第１の記憶手段に記憶されていない場合に、その基地局の識別情報で特定される基地局に対して、リンク確立の処理を行う制御手段とを有することを特徴とする。
【０００９】
また、本発明の無線通信端末の制御プログラムは、基地局と通信を行うための複数のスロットを有する無線通信端末の制御プログラムであって、前記各スロットの識別情報と、それらのスロットが通信を行う基地局の識別情報を対応付けて記憶させる第１のステップと、前記スロットが通信を行うことが可能な基地局の識別情報と、その基地局との通信状態の情報を対応付けて記憶させる第２のステップと、前記第２のステップで記憶した基地局の識別情報で特定される基地局のうち、前記第１のステップで記憶していない基地局の識別情報と、その基地局の識別情報に対応する前記通信状態の情報を対応付けて記憶させる第３のステップと、前記第３の記憶手段に記憶されている通信状態の情報に基づいて基地局の識別情報を選択し、その基地局の識別情報で特定される基地局に対して、リンク確立の処理を行わせる第４のステップとをコンピュータに実行させることを特徴とする。
【００１０】
また、本発明の無線通信端末の制御プログラムは、基地局と通信を行うための複数のスロットを有する無線通信端末の制御プログラムであって、前記各スロットの識別情報と、それらのスロットが通信を行う基地局の識別情報を対応付けて記憶させる第１のステップと、前記スロットが通信を行うことが可能な基地局の識別情報と、その基地局との通信状態の情報を対応付けて記憶させる第２のステップと、前記第２のステップで記憶した基地局の識別情報が、前記第１のステップで記憶されていない場合に、その基地局の識別情報で特定される基地局に対して、リンク確立の処理を行わせる第３のステップとをコンピュータに実行させることを特徴とする。
【発明の効果】
【００１１】
本発明では、スロットが通信を行っている基地局の情報を記憶しておくことにより、他のスロットにより通信を開始する際には、その通信中の基地局以外の基地局に対してリンク確立の処理を行うようにした。
これにより、複数のスロットが同時刻に同一の基地局に対してリンク確立の処理を行うことを防止することができるため、各スロットが速やかに基地局と通信を開始することができる。これにより、無線通信端末の通信速度を向上させることができる。
【発明を実施するための最良の形態】
【００１２】
以下、図面を参照し、本発明の実施形態について説明する。
図１は、本発明の第１の実施形態による無線通信端末１０の構成を示すブロック図である。無線通信端末１０は、記憶部１１、制御部１２、ベースバンド回路部１３（１３１、１３２、・・・、１３ｎ）、周波数変換部１４（１４１、１４２、・・・、１４ｎ）、アンテナ部１５（１５１、１５２、・・・、１５ｎ）、外部インターフェース部１６を有する。外部インターフェース部１６は、例えば無線通信端末１０がＰＣカード形状の場合、ＰＣＭＣＩＡ（Personal Computer Memory Card International Association）インターフェースとなり、接続されるコンピュータとデータやコマンドのやり取りを行う。なお、無線通信端末１０が端末本体のみで通信を行う場合、外部インターフェース部１６は省略しても良い。ベースバンド回路部１３、周波数変換部１４、アンテナ部１５はそれぞれｎ（ｎは２以上の整数）台設けられている。
【００１３】
本実施形態では、無線通信端末１０がＰＨＳの端末である場合について説明する。無線通信端末１０は、周辺に配置されている複数の基地局と無線通信を行う。各ベースバンド回路部１３は、基地局と上り下り各々４つの物理スロットを用いて無線通信を行う。１つのスロットでは、基地局との間で３２（ｋｂｐｓ（kilobits per second））の無線通信を行うことが可能である。よって、１つのベースバンド回路部１３では合計４つのスロットにより、１２８（ｋｂｐｓ）の通信速度の無線通信を行うことが可能である。また、１つの無線通信端末１０では合計ｎ個のベースバンド回路部１３により、１２８×ｎ（ｋｂｐｓ）の通信速度の無線通信を行うことが可能である。
【００１４】
記憶部１１は、記憶部１１ａ、１１ｂ、１１ｃを有する。記憶部１１ａには、図２に示すようなリストＬ１が記憶されている。リストＬ１には、各ベースバンド回路部１３に内蔵されている４つのスロットの識別情報（「ＢＢＩＣ１／ＲＦ１／ｓｌｏｔ１」など）と、それらの各スロットが無線通信を行っている基地局の識別情報（「８０００００００００１」など）が、対応付けられて記憶されている。なお、スロットと基地局との通信が行えない状態にある場合には、「０００００００００００」のように、基地局の識別情報として使用しない情報が、基地局の識別情報として記憶される。
【００１５】
記憶部１１ｂには、図３に示すようなリストＬ２が記憶されている。リストＬ２には、ベースバンド回路部１３に内蔵される各スロットごとに、そのスロットが通信可能な基地局の識別情報（「８０００００００００１」など）と、それらの基地局から送信される報知信号を受信した際の電界強度（「５５」（ｄＢμＶ／ｍ）など）の情報が、対応付けられて記憶されている。なお、本実施形態では、電界強度を、通信状態の情報として利用する場合について説明するが、その他の情報を利用してもよい。
記憶部１１ｃには、図４に示すようなリストＬ３が記憶されている。リストＬ３には、後述の処理により、所定の基地局の識別情報（「８０００００００００２」など）と、電界強度（「５１」（ｄＢμＶ／ｍ）など）の情報が、電界強度の強い順に、対応付けられて記憶されている。
【００１６】
制御部１２は、ベースバンド回路部１３に内蔵される各スロットが、それぞれどの基地局と通信を行っているかについて、スロットの識別情報と対応付けて記憶部１１ａのリストＬ１に記憶する。また、制御部１２は、無線通信端末１０の周辺に設置されている基地局から定期的に送信される報知信号を受信し、その報知信号を受信した際の電界強度を測定して、記憶部１１ｂのリストＬ２に記憶する。また、制御部１２は、記憶部１１ａに記憶されているリストＬ１と、記憶部１１ｂに記憶されているリストＬ２に基づいてリストＬ３を作成し、記憶部１１ｃに記憶する。
【００１７】
ベースバンド回路部１３（１３１〜１３ｎ）は、制御部１２から出力される信号に対して変調等の処理を行い周波数変換部１４へ出力したり、周波数変換部１４から出力される信号に対して復調等の処理を行い制御部１２へ出力したりする。
周波数変換部１４（１４１〜１４ｎ）は、ベースバンド回路部１３から出力される信号の周波数を送信周波数に変換してアンテナ部１５に出力したり、アンテナ部１５が受信する信号に対して周波数変換の処理を行いベースバンド回路部１３に出力したりする。
【００１８】
アンテナ部（１５１〜１５ｎ）は、周波数変換部１４から出力される信号を電波に乗せて基地局に送信したり、基地局から送信される電波を受信して、その電波に対応する信号を周波数変換部１４に対して出力したりする。
外部インターフェース部１６は、制御部１２から出力される信号を、外部のＰＣ（Personal Computer）等へ出力したり、そのＰＣ等から出力される信号を制御部１２へ出力したりする。
【００１９】
次に、本実施形態による無線通信端末１０の処理について説明する。
図５は、本実施形態による無線通信端末１０による処理の流れを示すフローチャートである。始めに、制御部１２は、ベースバンド回路部１３１〜１３ｎが内蔵する各スロットが、それぞれどの基地局と無線通信を行っているかについての基地局情報を、スロット識別情報と対応付けて、記憶部１１ａにリストＬ１（図２参照）として記憶する。
制御部１２は、一定期間、無線通信端末１０の周囲に設置されている基地局から所定の電界強度以上の報知信号を受信できるか否かについて判定するオープンサーチの処理を実行する（ステップＳ２０１）。基地局から送信される報知信号を受信できた場合には、その基地局の識別情報と、その報知信号を受信した際の電界強度の情報も取得し、記憶部１１ｂにリストＬ２（図３参照）として記憶する（ステップＳ２０２）。
【００２０】
そして、リストＬ２に記憶されている基地局の識別情報のうち、リストＬ１で他のスロットが通信を行っている基地局の識別情報を除外し（ステップＳ２０３）、電界強度の大きい順に基地局の識別情報を並べ替えることにより、各スロットごとにリストＬ３（図４参照）を作成して記憶部１１ｃに記憶する（ステップＳ２０４）。
そして、制御部１２は、リストＬ３の一番上に記憶されている基地局の識別情報に基づいて、基地局を選択し（ステップＳ２０５）、その基地局の識別情報と、その基地局に対してリンク確立要求信号を送信するスロットの識別情報とをリストＬ１に登録する（ステップＳ２０６）。その後、そのスロットからリンク確立要求信号をその基地局に対して送信することにより（ステップＳ２０７）、リンクを確立するための処理を行う。
【００２１】
制御部１２は、スロットと基地局の間でリンクの確立が成功したか否かについて判定する（ステップＳ２０８）。リンクの確立に成功した場合には、ステップＳ２０８で「ＹＥＳ」と判定し、スロットと基地局との間で無線通信を開始する（ステップＳ２０９）。一方、リンクの確立に失敗した場合には、ステップＳ２０８で「ＮＯ」と判定し、制御部１２はリストＬ１から、リンクの確立に失敗した基地局の識別情報と、それに対応するスロットの識別情報とを削除する（ステップＳ２１０）。
【００２２】
制御部１２は、リストＬ３を検索することにより（ステップＳ２１１）、ステップＳ２１０でリストＬ３から削除した基地局の次に電界強度が大きい基地局の識別情報が存在するか否かについて判定を行う（ステップＳ２１２）。次の基地局の識別情報が存在しない場合には、ステップＳ２１２で「ＮＯ」と判定し、リンク確立の処理は失敗したものとして、図５のフローチャートによる処理を終了する（ステップＳ２１３）。一方、リストＬ３に次の基地局の識別情報が存在する場合には、ステップＳ２１２で「ＹＥＳ」と判定し、再度ステップＳ２０６へ進み、その基地局に対するリンク確立の処理を実行する。
【００２３】
上述した実施形態では、各ベースバンド回路部１３が内蔵するスロットが通信を行っている基地局の情報をリストＬ１として記憶するとともに、各スロットが基地局から受信した報知信号の電界強度の情報をリストＬ２として記憶し、そのリストＬ１及びＬ２に基づいて、他のスロットで既に通信が行われている基地局を除外したリストＬ３を作成するようにした。そして、そのリストＬ３に記憶されている基地局の情報に基づいて、通信確立の処理を実行するようにした。よって、複数のスロットが同時刻に同一の基地局に対してリンク確立要求信号を送信することを防止することができるため、各スロットが速やかに基地局と通信を開始することができる。これにより、無線通信端末１０の通信速度を向上させることができる。
【００２４】
次に、本発明の第２の実施形態による無線通信端末１０について説明する。本実施形態による無線通信端末１０の構成は、第１の実施形態による無線通信端末１０（図１参照）とほぼ同じである。ただし、リストＬ３を記憶する記憶部１１ｃを備えていない点が相違する。また、制御部１２の制御方法についても、第１の実施形態による無線通信端末１０と相違する。
【００２５】
次に、本実施形態による無線通信端末１０の処理について説明する。
図６は、本実施形態による無線通信端末１０による処理の流れを示すフローチャートである。始めに、制御部１２は、ベースバンド回路部１３１〜１３ｎが内蔵する各スロットが、それぞれどの基地局と無線通信を行っているかについての基地局情報を、スロット識別情報と対応付けて、記憶部１１ａにリストＬ１（図２参照）として記憶する。
制御部１２は、オープンサーチの処理を実行し（ステップＳ３０１）、基地局から送信される報知信号を受信できた場合には、その基地局の識別情報と、その報知信号を受信した際の電界強度の情報を取得し、記憶部１１ｂにリストＬ２（図３参照）として記憶する（ステップＳ３０２）。
【００２６】
そして、制御部１２は、リストＬ２の一番上に記憶されている基地局の識別情報に基づいて、基地局を選択し（ステップＳ３０３）、その基地局が他のベースバンド回路部１３のスロットとの間で既に通信が行われていないかを、リストＬ１を検索することにより（ステップＳ３０４）、判定する（ステップＳ３０５）。他のベースバンド回路部１３のスロットとの間で既に通信が行われている場合には、ステップＳ３０５で「ＹＥＳ」と判定し、ステップＳ３１１へ進む。ステップＳ３１１の処理については後述する。一方、他のベースバンド回路部１３のスロットとの間でまだ通信が行われていない場合には、ステップＳ３０５で「ＮＯ」と判定し、その基地局の識別情報と、スロットの識別情報とを対応付けて、記憶部１１ａのリストＬ１に登録する（ステップＳ３０６）。
【００２７】
そして、スロットからリンク確立要求信号を、その基地局に対して送信することにより、リンクを確立するための処理を開始する（ステップＳ３０７）。制御部１２は、スロットと基地局とのリンクの確立が成功したか否かについて判定する（ステップＳ３０８）。リンクの確立に成功した場合には、ステップＳ３０８で「ＹＥＳ」と判定し、スロットと基地局との間で無線通信を開始する（ステップＳ３０９）。一方、リンクの確立に失敗した場合には、ステップＳ３０８で「ＮＯ」と判定し、制御部１２はリストＬ１から、リンクの確立に失敗した基地局の識別情報と、それに対応するスロットの識別情報とを削除する（ステップＳ３１０）。
【００２８】
制御部１２は、リストＬ２を検索することにより（ステップＳ３１１）、リストＬ２の一番上に基地局の情報が存在するか否かについて判定を行う（ステップＳ３１２）。基地局の識別情報が存在しない場合には、ステップＳ３１２で「ＮＯ」と判定し、リンク確立の処理は失敗したものとして、図６のフローチャートによる処理を終了する（ステップＳ３１３）。一方、リストＬ２に基地局の識別情報が存在する場合には、ステップＳ３１２で「ＹＥＳ」と判定し、再度ステップＳ３０４へ進み、その基地局に対するリンク確立の処理を実行する。
【００２９】
上述した実施形態では、各ベースバンド回路部１３が内蔵するスロットが通信を行っている基地局の情報をリストＬ１として記憶するとともに、各スロットが基地局から受信した報知信号の電界強度の情報をリストＬ２として記憶するようにした。そして、そのリストＬ２に記憶されている基地局の情報のうち、リストＬ１に記憶されていない基地局の情報に基づいて、通信確立の処理を実行するようにした。よって、複数のスロットが同時刻に同一の基地局に対してリンク確立要求信号を送信することを防止することができるため、各スロットが速やかに基地局と通信を開始することができる。これにより、無線通信端末１０の通信速度を向上させることができる。
【００３０】
次に、本発明の第３の実施形態による無線通信端末１０について説明する。本実施形態による無線通信端末１０の構成は、第１の実施形態による無線通信端末１０（図１参照）と同様である。ただし、制御部１２の制御方法が、第１の実施形態による無線通信端末１０と相違する。
【００３１】
次に、本実施形態による無線通信端末１０の処理について説明する。
図７は、本実施形態による無線通信端末１０による処理の流れを示すフローチャートである。始めに、制御部１２は、ベースバンド回路部１３１〜１３ｎが内蔵する各スロットが、それぞれどの基地局と無線通信を行っているかについての基地局情報を、スロット識別情報と対応付けて、記憶部１１ａにリストＬ１（図２参照）として記憶する。
制御部１２は、オープンサーチの処理を実行し（ステップＳ４０１）、基地局から送信される報知信号を受信できた場合には、その報知信号を受信した際の電界強度の情報を取得し、記憶部１１ｂにリストＬ２（図３参照）として記憶する（ステップＳ４０２）。
【００３２】
そして、リストＬ１を参照することにより（ステップＳ４０３）、リストＬ２に記憶されている基地局の識別情報のうち、他のスロットが通信を行っている基地局の識別情報を除外し、電界強度の大きい順に基地局の識別情報を並べ替えることにより、各スロットごとにリストＬ３（図４参照）を作成して記憶部１１ｃに記憶する（ステップＳ４０４）。
そして、制御部１２は、リストＬ３の一番上に記憶されている基地局の識別情報に基づいて、基地局を選択し（ステップＳ４０５）、その基地局が他のベースバンド回路部１３のスロットとの間で既に通信が行われていないかを、リストＬ１を検索することにより（ステップＳ４０６）、判定する（ステップＳ４０７）。
【００３３】
他のベースバンド回路部１３のスロットとの間で既に通信が行われている場合には、ステップＳ４０７で「ＹＥＳ」と判定し、ステップＳ４１３へ進む。ステップＳ４１３の処理については後述する。一方、他のベースバンド回路部１３のスロットとの間でまだ通信が行われていない場合には、ステップＳ４０７で「ＮＯ」と判定し、その基地局の識別情報と、スロットの識別情報とを対応付けて、記憶部１１ａのリストＬ１に登録する（ステップＳ４０８）。そして、スロットからリンク確立要求信号を、その基地局に対して送信することにより、リンクを確立するための処理を開始する（ステップＳ４０９）。制御部１２は、スロットと基地局とのリンクの確立が成功したか否かについて判定する（ステップＳ４１０）。リンクの確立に成功した場合には、ステップＳ４１０で「ＹＥＳ」と判定し、スロットと基地局との間で無線通信を開始する（ステップＳ４１１）。一方、リンクの確立に失敗した場合には、ステップＳ４１０で「ＮＯ」と判定し、制御部１２はリストＬ１から、リンクの確立に失敗した基地局の識別情報と、それに対応するスロットの識別情報とを削除する（ステップＳ４１２）。
【００３４】
そして、制御部１２は、リストＬ３を検索することにより（ステップＳ４１３）、リストＬ３の一番上に基地局の情報が存在するか否かについて判定を行う（ステップＳ４１４）。基地局の識別情報が存在しない場合には、ステップＳ４１４で「ＮＯ」と判定し、リンク確立の処理は失敗したものとして、図７のフローチャートによる処理を終了する（ステップＳ４１５）。一方、リストＬ３に基地局の識別情報が存在する場合には、ステップＳ４１４で「ＹＥＳ」と判定し、再度ステップＳ４０６へ進み、その基地局に対するリンク確立の処理を実行する。
【００３５】
上述した実施形態では、各ベースバンド回路部１３が内蔵するスロットが通信を行っている基地局の情報をリストＬ１として記憶するとともに、各スロットが基地局から受信した報知信号の電界強度の情報をリストＬ２として記憶し、そのリストＬ１及びＬ２に基づいて、他のスロットで既に通信が行われている基地局を除外したリストＬ３を作成するようにした。そして、そのリストＬ３に記憶されている基地局の情報のうち、リストＬ１に記憶されていない基地局の情報に基づいて、通信確立の処理を実行するようにした。よって、複数のスロットが同時刻に同一の基地局に対してリンク確立要求信号を送信することを防止することができるため、各スロットが速やかに基地局と通信を開始することができる。これにより、無線通信端末１０の通信速度を向上させることができる。
【００３６】
なお、上述した第１〜第３の実施形態では、無線通信端末１０と基地局との間で、図５〜図７に示すフローチャートに従って無線通信を開始する場合について説明したが、このような処理に限定されるものではない。例えば、図８に示すように、無線通信端末１０と基地局の間で通信を行っている最中に何らかの原因により、通信が切断された場合に（ステップＳ５０１）、無線通信端末１０の記憶部１１ａのリストＬ１から、その基地局の識別情報と、その基地局と通信を行っていたスロットの識別情報を削除するようにしてもよい（ステップＳ５０２）。このような処理を行うことにより、他のスロットは、その基地局に対してリンク確立の処理を行うことができるので、リンクが確立される可能性が増大し、より効率的に通信を行うことが可能となる。
【００３７】
なお、以上説明した実施形態において、図１の制御部１２の機能を実現するためのプログラムをコンピュータ読み取り可能な記憶媒体に記憶して、この記憶媒体に記憶されたプログラムをコンピュータシステムに読み込ませ、実行することにより無線通信端末１０の制御を行ってもよい。なお、ここでいう「コンピュータシステム」とは、ＯＳや周辺機器等のハードウェアを含むものとする。
【００３８】
また、「コンピュータ読み取り可能な記憶媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記憶媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記憶されているプログラムとの組み合わせで実現できるものであっても良い。
【００３９】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４０】
【図１】本発明の第１の実施形態による無線通信端末１０の構成を示すブロック図である。
【図２】記憶部１１ａに記憶されるリストＬ１の一例を示す図である。
【図３】記憶部１１ｂに記憶されるリストＬ２の一例を示す図である。
【図４】記憶部１１ｃに記憶されるリストＬ３の一例を示す図である。
【図５】本実施形態の無線通信端末による処理の流れを示すフローチャートである。
【図６】本発明の第２の実施形態の無線通信端末による処理の流れを示すフローチャートである。
【図７】本発明の第３の実施形態の無線通信端末による処理の流れを示すフローチャートである。
【図８】無線通信端末による処理の流れを示すフローチャートである。
【図９】従来使用されていた無線通信方法の処理の流れを示すシーケンス図である。
【図１０】従来使用されていた無線通信方法の処理の流れを示すシーケンス図である。
【符号の説明】
【００４１】
１ａ、１ｂ・・・無線通信端末、１０・・・無線通信端末、１１（１１ａ、１１ｂ、１１ｃ）・・・記憶部、１２・・・制御部、１３・・・ベースバンド回路部、１４・・・周波数変換部、１５・・・アンテナ部、１６・・・外部インターフェース部
【図１】
2007005976.tif 000003
【図２】
2007005976.tif 000004
【図３】
2007005976.tif 000005
【図４】
2007005976.tif 000006
【図５】
2007005976.tif 000007
【図６】
2007005976.tif 000008
【図７】
2007005976.tif 000009
【図８】
2007005976.tif 000010
【図９】
2007005976.tif 000011
【図１０】
2007005976.tif 000012